(57)【特許請求の範囲】
【請求項１】
洗浄ノズルを有し、前記洗浄ノズルから人体局部に向けて洗浄水を噴射することにより、前記人体局部の洗浄を行う身体洗浄機能部と、
開口部を有するベースプレートと、前記ベースプレートの上に着脱可能に取り付けられる本体カバーと、を有し、前記ベースプレートと前記本体カバーとで囲まれた空間内に前記身体洗浄機能部を収容するケーシングと、
前記空間内に設けられ、給水管の一端を着脱可能に接続するための接続口を有し、前記給水管の一端に設けられた挿入部を前記接続口に挿入することによって前記給水管と接続され、前記給水管から供給される前記洗浄水を前記身体洗浄機能部に供給する給水接続部と、
前記ベースプレートの前記開口部の上に着脱可能に取り付けられ、前記接続口と前記給水管の前記挿入部の上方を覆う上側カバーと、
前記給水接続部及び前記給水管に取り付けられ、前記挿入部の前記接続口からの抜けを抑制する抜け止め部材と、
を備え、
前記給水接続部は、前記空間内に前記接続口を配置し、前記開口部を介して下方から前記給水管を前記接続口に着脱可能にするとともに、前記本体カバーを取り外した状態において、上方から前記給水管を前記接続口に着脱可能にし、
前記上側カバーは、ガイド部を有し、
前記ガイド部は、前記抜け止め部材を予め定められた位置の下方から前記給水接続部及び前記給水管に取り付ける時、前記抜け止め部材が前記給水接続部及び前記給水管に取り付けられることを許容し、前記抜け止め部材を予め定められた位置とは異なる位置の下方から前記給水接続部及び前記給水管に取り付ける時、前記抜け止め部材が前記給水接続部及び前記給水管に取り付けられることを阻害することを特徴とする衛生洗浄装置。
【請求項２】
前記抜け止め部材は、前記給水接続部及び前記給水管を挟む一対の挟持部を有するクリップ状であることを特徴とする請求項１記載の衛生洗浄装置。
【請求項３】
前記給水接続部は、
一端に前記接続口が設けられた第１円筒部と、
前記第１円筒部の前記一端の外縁に設けられ、前記第１円筒部よりも大きい外径を有する第１フランジ部と、
を有し、
前記給水管は、
前記挿入部の後端側に設けられ、前記挿入部を前記接続口に挿入した状態において、前記給水接続部の前記第１フランジ部に当接する第２フランジ部と、
前記第２フランジ部の後端側に設けられ、前記第２フランジ部よりも小さい外径を有する第２円筒部と、
を有し、
前記抜け止め部材は、少なくとも一部に弾性を有し、前記一対の挟持部の間隔を弾性変形によって変化させ、
前記ガイド部は、前記一対の挟持部が前記第１円筒部及び前記第２円筒部を挟む第１状態においては、前記抜け止め部材の前記給水接続部及び前記給水管への取り付けを許容し、前記一対の挟持部が前記第１フランジ部及び前記第２フランジ部を挟み、前記第１状態よりも前記一対の挟持部の間隔が広がった第２状態においては、前記抜け止め部材と当接して前記抜け止め部材の前記給水接続部及び前記給水管への取り付けを阻害することを特徴とする請求項２記載の衛生洗浄装置。
【請求項４】
前記ガイド部は、前記抜け止め部材が前記給水接続部及び前記給水管に取り付けられた状態において、少なくとも前記一対の挟持部のそれぞれの先端部を収容する凹状であり、
前記接続口が向く第１方向における前記ガイド部の内部の幅は、前記抜け止め部材の前記先端部の前記第１方向の幅の１倍以上１．５倍以下であることを特徴とする請求項２又は３に記載の衛生洗浄装置。
【請求項５】
洗浄ノズルを有し、前記洗浄ノズルから人体局部に向けて洗浄水を噴射することにより、前記人体局部の洗浄を行う身体洗浄機能部と、
下方を向く開口部を有するベースプレートと、前記ベースプレートの上に着脱可能に取り付けられる本体カバーと、を有し、前記ベースプレートと前記本体カバーとで囲まれた空間内に前記身体洗浄機能部を収容するケーシングと、
前記空間内に設けられ、給水管を着脱可能に接続するための接続口を有し、前記給水管から供給される前記洗浄水を前記身体洗浄機能部に供給する給水接続部と、
下方から前記ベースプレートに着脱可能に取り付けられ、前記開口部の一部を塞ぐ下側カバーと、
を備え、
前記給水接続部は、前記空間内に前記接続口を配置し、前記開口部を介して下方から前記給水管を前記接続口に着脱可能にするとともに、前記本体カバーを取り外した状態において、上方から前記給水管を前記接続口に着脱可能にし、
前記給水接続部は、前記接続口を前記開口部の前記一部の上方に配置し、
前記給水管は、前記接続口に挿入される挿入部を有し、
前記給水接続部及び前記給水管には、前記挿入部の前記接続口からの抜けを抑制する抜け止め部材が取り付けられ、
前記抜け止め部材は、前記給水接続部及び前記給水管を挟む一対の挟持部を有するクリップ状であり、
前記下側カバーは、前記ベースプレートに取り付けられた状態において前記抜け止め部材と対向する対向面を有し、前記一対の挟持部が適切な位置よりも下方で前記給水接続部及び前記給水管を挟んでいる時に、前記対向面を前記抜け止め部材に当接させ、前記抜け止め部材を前記適切な位置に向けて移動させることを特徴とする衛生洗浄装置。
【請求項６】
上面を有する便器と、
前記便器の前記上面の上に設けられる衛生洗浄装置であって、
洗浄ノズルを有し、前記洗浄ノズルから人体局部に向けて洗浄水を噴射することにより、前記人体局部の洗浄を行う身体洗浄機能部と、
ベースプレートと、前記ベースプレートの上に着脱可能に取り付けられる本体カバーと、を有し、前記ベースプレートと前記本体カバーとで囲まれた空間内に前記身体洗浄機能部を収容するケーシングと、
前記空間内に設けられ、給水管の一端を着脱可能に接続するための接続口を有し、前記給水管の一端に設けられた挿入部を前記接続口に挿入することによって前記給水管と接続され、前記給水管から供給される前記洗浄水を前記身体洗浄機能部に供給する給水接続部と、
前記ベースプレートの前記開口部の上に着脱可能に取り付けられ、前記接続口と前記給水管の前記挿入部の上方を覆う上側カバーと、
前記給水接続部及び前記給水管に取り付けられ、前記挿入部の前記接続口からの抜けを抑制する抜け止め部材と、
を有する衛生洗浄装置と、
を備え、
前記ケーシングは、前記上面と対向する底面と、下方を向く開口部と、を有し、
前記給水接続部は、前記空間内に前記接続口を配置し、前記開口部を介して下方から前記給水管を前記接続口に着脱可能にするとともに、前記本体カバーを取り外した状態において、上方から前記給水管を前記接続口に着脱可能にし、
前記上側カバーは、ガイド部を有し、
前記ガイド部は、前記抜け止め部材を予め定められた位置の下方から前記給水接続部及び前記給水管に取り付ける時、前記抜け止め部材が前記給水接続部及び前記給水管に取り付けられることを許容し、前記抜け止め部材を予め定められた位置とは異なる位置の下方から前記給水接続部及び前記給水管に取り付ける時、前記抜け止め部材が前記給水接続部及び前記給水管に取り付けられることを阻害し、
前記便器は、前記ケーシングの前記底面の外縁を前記上面で塞ぐことを特徴とするトイレ装置。
【発明の詳細な説明】
【技術分野】
【０００１】
本発明の態様は、洋式腰掛便器に腰掛けた使用者の「おしり」などを水で洗浄する衛生洗浄装置、及びこれを備えたトイレ装置に関する。
【背景技術】
【０００２】
衛生洗浄装置は、給水管を着脱可能に接続するための給水接続部を有する。衛生洗浄装置においては、例えば、可撓性を有する給水管（給水ホース）で給水源と給水接続部との間を接続する。これにより、設置環境に応じて給水管の長さを容易に変更することができる。また、給水管を着脱可能とすることにより、給水管や給水接続部のみの交換が可能となり、衛生洗浄装置のメンテナンス性を高めることができる。
【０００３】
従来からの構成として、衛生洗浄装置の給水接続部は、給水管を接続し易いように衛生洗浄装置本体の外部に設けられている（特許文献１）。しかしながら、給水接続部を本体の外部に設けると、使用者が誤って接触した場合などに、給水管が給水接続部から外れ、水漏れを起こすおそれがある。このため、給水接続部を衛生洗浄装置本体の底面に設け、製品底面から給水管を給水接続部に接続する衛生洗浄装置の開示がある（特許文献２）。
【０００４】
また、衛生洗浄装置では、デザイン性の向上のため、給水接続部を衛生洗浄装置本体及び便器で隠蔽したいという要求がある。
【０００５】
しかしながら、装置本体の底面に設けられた給水接続部を装置本体及び便器で隠蔽してしまうと、衛生洗浄装置を便器に取り付けた後においては、衛生洗浄装置を一度便器から取り外さない限り、給水接続部から給水管を取り外すことができなくなってしまう。すなわち、給水管や給水接続部の交換が難しくなってしまう。
【０００６】
このように、給水接続部の隠蔽は、衛生洗浄装置のメンテナンス性の低下を招く。このため、衛生洗浄装置及びこれを備えたトイレ装置においては、給水接続部を隠蔽した場合のメンテナンス性の低下を抑制することが望まれる。
【先行技術文献】
【特許文献】
【０００７】
【特許文献１】特開２０１４−２３１７０４号公報
【特許文献２】特開２０１５−６８０７７号公報
【発明の概要】
【発明が解決しようとする課題】
【０００８】
本発明は、かかる課題の認識に基づいてなされたものであり、給水接続部を隠蔽した場合のメンテナンス性の低下を抑制した衛生洗浄装置及びトイレ装置を提供することを目的とする。
【課題を解決するための手段】
【０００９】
第１の発明は、洗浄ノズルを有し、前記洗浄ノズルから人体局部に向けて洗浄水を噴射することにより、前記人体局部の洗浄を行う身体洗浄機能部と、開口部を有するベースプレートと、前記ベースプレートの上に着脱可能に取り付けられる本体カバーと、を有し、前記ベースプレートと前記本体カバーとで囲まれた空間内に前記身体洗浄機能部を収容するケーシングと、前記空間内に設けられ、給水管の一端を着脱可能に接続するための接続口を有し、前記給水管の一端に設けられた挿入部を前記接続口に挿入することによって前記給水管と接続され、前記給水管から供給される前記洗浄水を前記身体洗浄機能部に供給する給水接続部と、前記ベースプレートの前記開口部の上に着脱可能に取り付けられ、前記接続口と前記給水管の前記挿入部の上方を覆う上側カバーと、前記給水接続部及び前記給水管に取り付けられ、前記挿入部の前記接続口からの抜けを抑制する抜け止め部材と、を備え、前記給水接続部は、前記空間内に前記接続口を配置し、前記開口部を介して下方から前記給水管を前記接続口に着脱可能にするとともに、前記本体カバーを取り外した状態において、上方から前記給水管を前記接続口に着脱可能にし、前記上側カバーは、ガイド部を有し、前記ガイド部は、前記抜け止め部材を予め定められた位置の下方から前記給水接続部及び前記給水管に取り付ける時、前記抜け止め部材が前記給水接続部及び前記給水管に取り付けられることを許容し、前記抜け止め部材を予め定められた位置とは異なる位置の下方から前記給水接続部及び前記給水管に取り付ける時、前記抜け止め部材が前記給水接続部及び前記給水管に取り付けられることを阻害することを特徴とする衛生洗浄装置である。
【００１０】
この衛生洗浄装置によれば、給水接続部及び接続口をケーシング内に配置し、開口部を介して下方から給水管を接続口に着脱できるようにするとともに、本体カバーを取り外した状態において、上方から給水管を接続口に着脱できるようにしているので、給水接続部を隠蔽した場合においても、便器や衛生洗浄装置自体を取り外す必要がなく、本体カバーを取り外すだけで、給水管や給水接続部の交換などを行うことができる。従って、衛生洗浄装置では、給水接続部を隠蔽した場合のメンテナンス性の低下を抑制することができる。
【００１１】
また、第２の発明は、第１の発明において、前記抜け止め部材は、前記給水接続部及び前記給水管を挟む一対の挟持部を有するクリップ状であることを特徴とする衛生洗浄装置である。
【００１２】
この衛生洗浄装置によれば、上側カバーのガイド部によって、抜け止め部材の取り付けの位置及び方向が規制されるので、抜け止め部材の誤った取り付けを抑制することができる。例えば、不慣れな作業者であったとしても、抜け止め部材を給水接続部及び給水管に適切に取り付けることができる。
【００１３】
また、第３の発明は、第２の発明において、前記給水接続部は、一端に前記接続口が設けられた第１円筒部と、前記第１円筒部の前記一端の外縁に設けられ、前記第１円筒部よりも大きい外径を有する第１フランジ部と、を有し、前記給水管は、前記挿入部の後端側に設けられ、前記挿入部を前記接続口に挿入した状態において、前記給水接続部の前記第１フランジ部に当接する第２フランジ部と、前記第２フランジ部の後端側に設けられ、前記第２フランジ部よりも小さい外径を有する第２円筒部と、を有し、前記抜け止め部材は、少なくとも一部に弾性を有し、前記一対の挟持部の間隔を弾性変形によって変化させ、前記ガイド部は、前記一対の挟持部が前記第１円筒部及び前記第２円筒部を挟む第１状態においては、前記抜け止め部材の前記給水接続部及び前記給水管への取り付けを許容し、前記一対の挟持部が前記第１フランジ部及び前記第２フランジ部を挟み、前記第１状態よりも前記一対の挟持部の間隔が広がった第２状態においては、前記抜け止め部材と当接して前記抜け止め部材の前記給水接続部及び前記給水管への取り付けを阻害することを特徴とする衛生洗浄装置である。
【００１４】
この衛生洗浄装置によれば、一対の挟持部が第１フランジ部及び第２フランジ部を挟んだ状態で、抜け止め部材が前給水接続部及び給水管に接続されてしまうことを抑制することができる。抜け止め部材の誤った取り付けをより適切に抑制することができる。
【００１５】
また、第４の発明は、第２又は第３の発明において、前記ガイド部は、前記抜け止め部材が前記給水接続部及び前記給水管に取り付けられた状態において、少なくとも前記一対の挟持部のそれぞれの先端部を収容する凹状であり、前記接続口が向く第１方向における前記ガイド部の内部の幅は、前記抜け止め部材の前記先端部の前記第１方向の幅の１倍以上１．５倍以下であることを特徴とする衛生洗浄装置である。
【００１６】
この衛生洗浄装置によれば、抜け止め部材が給水接続部及び接続管に対して斜めに取り付けられてしまうことを抑制することができる。抜け止め部材の誤った取り付けをより適切に抑制することができる。
【００１７】
また、第５の発明は、第１〜第４のいずれか１つの発明において、下方から前記ベースプレートに着脱可能に取り付けられ、前記開口部の一部を塞ぐ下側カバーをさらに備え、前記給水接続部は、前記接続口を前記開口部の前記一部の上方に配置し、前記給水管は、前記接続口に挿入される挿入部を有し、前記給水接続部及び前記給水管には、前記挿入部の前記接続口からの抜けを抑制する抜け止め部材が取り付けられ、前記抜け止め部材は、前記給水接続部及び前記給水管を挟む一対の挟持部を有するクリップ状であり、前記下側カバーは、前記ベースプレートに取り付けられた状態において前記抜け止め部材と対向する対向面を有し、前記一対の挟持部が適切な位置よりも下方で前記給水接続部及び前記給水管を挟んでいる時に、前記対向面を前記抜け止め部材に当接させ、前記抜け止め部材を前記適切な位置に向けて移動させることを特徴とする衛生洗浄装置である。
【００１８】
この衛生洗浄装置によれば、抜け止め部材の各挟持部が適切な位置よりも下方で給水接続部及び給水管を挟んでいる場合に、下側カバーの対向面が抜け止め部材に当接し、抜け止め部材を適切な位置に向けて移動させるので、抜け止め部材の半挿入状態を解消することができる。例えば、不慣れな作業者であったとしても、抜け止め部材を給水接続部及び給水管に適切に取り付けることができる。
【００１９】
また、第６の発明は、上面を有する便器と、前記便器の前記上面の上に設けられる衛生洗浄装置であって、洗浄ノズルを有し、前記洗浄ノズルから人体局部に向けて洗浄水を噴射することにより、前記人体局部の洗浄を行う身体洗浄機能部と、ベースプレートと、前記ベースプレートの上に着脱可能に取り付けられる本体カバーと、を有し、前記ベースプレートと前記本体カバーとで囲まれた空間内に前記身体洗浄機能部を収容するケーシングと、前記空間内に設けられ、給水管の一端を着脱可能に接続するための接続口を有し、前記給水管の一端に設けられた挿入部を前記接続口に挿入することによって前記給水管と接続され、前記給水管から供給される前記洗浄水を前記身体洗浄機能部に供給する給水接続部と、前記ベースプレートの前記開口部の上に着脱可能に取り付けられ、前記接続口と前記給水管の前記挿入部の上方を覆う上側カバーと、前記給水接続部及び前記給水管に取り付けられ、前記挿入部の前記接続口からの抜けを抑制する抜け止め部材と、を有する衛生洗浄装置と、を備え、前記ケーシングは、前記上面と対向する底面と、下方を向く開口部と、を有し、前記給水接続部は、前記空間内に前記接続口を配置し、前記開口部を介して下方から前記給水管を前記接続口に着脱可能にするとともに、前記本体カバーを取り外した状態において、上方から前記給水管を前記接続口に着脱可能にし、前記上側カバーは、ガイド部を有し、前記ガイド部は、前記抜け止め部材を予め定められた位置の下方から前記給水接続部及び前記給水管に取り付ける時、前記抜け止め部材が前記給水接続部及び前記給水管に取り付けられることを許容し、前記抜け止め部材を予め定められた位置とは異なる位置の下方から前記給水接続部及び前記給水管に取り付ける時、前記抜け止め部材が前記給水接続部及び前記給水管に取り付けられることを阻害し、前記便器は、前記ケーシングの前記底面の外縁を前記上面で塞ぐことを特徴とするトイレ装置である。
【００２０】
このトイレ装置によれば、給水接続部及び接続口をケーシング内に配置し、開口部を介して下方から給水管を接続口に着脱できるようにするとともに、本体カバーを取り外した状態において、上方から給水管を接続口に着脱できるようにしているので、給水接続部を隠蔽した場合においても、便器や衛生洗浄装置自体を取り外す必要がなく、本体カバーを取り外すだけで、給水管や給水接続部の交換などを行うことができる。従って、衛生洗浄装置では、給水接続部を隠蔽した場合のメンテナンス性の低下を抑制することができる。
【発明の効果】
【００２１】
本発明の態様によれば、給水接続部を隠蔽した場合のメンテナンス性の低下を抑制した衛生洗浄装置及びトイレ装置が提供される。
【図面の簡単な説明】
【００２２】
【図１】本発明の実施の形態にかかる衛生洗浄装置を備えたトイレ装置を模式的に表す斜視図である。
【図２】本発明の実施の形態にかかる衛生洗浄装置の本体部の内部構造を模式的に表す平面図である。
【図３】図３（ａ）及び図３（ｂ）は、本発明の実施の形態にかかる衛生洗浄装置を備えたトイレ装置を模式的に表す斜視図である。
【図４】本発明の実施の形態にかかる衛生洗浄装置を備えたトイレ装置を模式的に表す側面図である。
【図５】図５（ａ）及び図５（ｂ）は、本発明の実施の形態にかかる衛生洗浄装置の一部を模式的に表す平面図である。
【図６】本発明の実施の形態にかかる衛生洗浄装置の一部を模式的に表す断面図である。
【図７】図７（ａ）〜図７（ｃ）は、本発明の実施の形態にかかる衛生洗浄装置の一部を模式的に表す斜視図である。
【図８】本発明の実施の形態にかかる衛生洗浄装置の一部を模式的に表す断面図である。
【図９】本発明の実施の形態にかかる衛生洗浄装置の一部を模式的に表す断面図である。
【図１０】図１０（ａ）及び１０（ｂ）は、本発明の実施の形態にかかる衛生洗浄装置の一部を模式的に表す断面図である。
【図１１】本発明の実施の形態にかかるトイレ装置の取り付け手順の一例を模式的に表すフローチャートである。
【図１２】本発明の実施の形態にかかるトイレ装置のメンテナンス作業の一例を模式的に表すフローチャートである。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を模式的に表す斜視図である。  
図１に表したように、トイレ装置１０は、洋式腰掛便器（以下説明の便宜上、単に「便器」と称する）５０と、その上に設けられた衛生洗浄装置１００と、を備える。衛生洗浄装置１００は、ケーシング１１０と、便座１２０と、便蓋１３０と、を有する。便座１２０と便蓋１３０とは、ケーシング１１０に対して開閉自在にそれぞれ軸支されている。
【００２４】
ここで、本願明細書においては、便座１２０に座った使用者からみて上方を「上方」とし、便座１２０に座った使用者からみて下方を「下方」とする。また、開いた状態の便蓋１３０に背を向けて便座１２０に座った使用者からみて前方を「前方」とし、便座１２０に座った使用者からみて後方を「後方」とする。また、後方を向いて便器５０の前に立った使用者からみて右側を「右側方」とし、後方を向いて便器５０の前に立った使用者からみて左側を「左側方」とする。
【００２５】
便器５０は、上面５０ａを有する。上面５０ａは、例えば、便器５０をトイレ空間の床面に載置した状態において、床面と実質的に平行となる平面である。上面５０ａは、床面に対して傾斜していてもよいし、床面からの高さが異なる複数の面を有していてもよい。
【００２６】
また、便器５０は、ボウル部５１を有する。ボウル部５１は、上面５０ａから下方に凹む凹状である。便器５０は、ボウル部５１において使用者の尿や便などの排泄物を受ける。ボウル部５１は、図示を省略した排水トラップ管路に接続されている。ボウル部５１は、排水トラップ管路や排水ソケットなどを介して排水管に接続され、排泄物などを排水管に流す。また、ボウル部５１及び排水トラップ管路は、非使用時において所定量の水をボウル部５１内に溜められるように形成されている。
【００２７】
ボウル部５１は、上面５０ａの前方に寄せて配置されている。衛生洗浄装置１００のケーシング１１０は、上面５０ａのボウル部５１よりも後方の部分の上に載置される。このように、ケーシング１１０は、ボウル部５１よりも後方において便器５０の上に載置される。換言すれば、上面５０ａは、ボウル部５１よりも後方に、衛生洗浄装置１００のケーシング１１０を載置するための載置領域を有する。
【００２８】
便器５０は、例えば、陶磁器製である。便器５０の材料は、樹脂などでもよい。便器５０は、例えば、陶磁器と樹脂との組み合わせで形成してもよい。
【００２９】
図２は、本発明の実施の形態にかかる衛生洗浄装置の本体部の内部構造を模式的に表す平面図である。  
図１及び図２に表したように、衛生洗浄装置１００のケーシング１１０は、ベースプレート２００と、本体カバー２１０と、を有する。また、衛生洗浄装置１００は、身体洗浄機能部２２０と、便器洗浄機能部２３０と、をさらに備える。ケーシング１１０は、ベースプレート２００と本体カバー２１０とで囲まれた空間内に、身体洗浄機能部２２０及び便器洗浄機能部２３０を収容する。
【００３０】
ケーシング１１０は、便器５０の上面５０ａと対向する底面１１０ａを有する。底面１１０ａは、例えば、ベースプレート２００の底面である。便器５０は、ケーシング１１０の底面１１０ａの外縁を上面５０ａで塞ぐ。これにより、便器５０とケーシング１１０との間に空く隙間が抑制される。従って、トイレ装置１０では、衛生洗浄装置１００を便器５０の上に取り付けた後においては、下方からケーシング１１０の内部にアクセスすることができなくなる。ケーシング１１０の左右方向の幅は、例えば、上面５０ａの載置領域の左右方向の幅と実質的に同じである。ケーシング１１０は、左右方向において便器５０と略面一である。
【００３１】
身体洗浄機能部２２０及び便器洗浄機能部２３０は、ベースプレート２００の上に設けられる。本体カバー２１０は、ベースプレート２００の上に設けられ、身体洗浄機能部２２０及び便器洗浄機能部２３０などの内部の機能部を覆う。本体カバー２１０は、ベースプレート２００に対して着脱可能に取り付けられる。なお、図２では、便宜的に、本体カバー２１０などの一部の部材を省略して図示している。
【００３２】
身体洗浄機能部２２０は、便座１２０に座った使用者の「おしり」などを洗浄する身体洗浄を行う。便器洗浄機能部２３０は、ボウル部５１に水を流し、ボウル部５１に溜まった水を置換することにより、排泄物などを排水管に流す便器洗浄を行う。衛生洗浄装置１００は、例えば、図示を省略したリモコンなどの操作部を有する。身体洗浄機能部２２０及び便器洗浄機能部２３０のそれぞれは、使用者による操作部の操作に応じて身体洗浄及び便器洗浄を行う。
【００３３】
身体洗浄機能部２２０は、例えば、加熱部２２１と、洗浄ノズル２２２と、制御部２２３と、を有する。
【００３４】
加熱部２２１は、給水源から供給される水を所定の温度に加熱する。なお、本願明細書において「水」という場合には、冷水のみならず、加熱されたお湯も含むものとする。加熱部２２１には、例えば、貯湯加熱式の熱交換器が用いられる。加熱部２２１は、セラミックヒータなどを用いた瞬間加熱式（瞬間式）の熱交換器でもよい。さらには、加熱部２２１は、熱交換器に限ることなく、例えば、マイクロ波加熱を利用するものなど、他の加熱方式を用いたものでもよい。
【００３５】
加熱部２２１は、制御部２２３と接続されている。制御部２２３は、例えば、使用者による操作部の操作に応じて加熱部２２１を制御することにより、操作部で設定された温度に水を加熱する。
【００３６】
洗浄ノズル２２２は、便器５０のボウル部５１内に進出した位置と、本体カバー２１０内に収納された位置と、に移動する。洗浄ノズル２２２の進退移動は、制御部２２３によって制御される。洗浄ノズル２２２の先端部には、吐水口２２２ａが設けられている。洗浄ノズル２２２は、加熱部２２１の下流側に設けられ、加熱部２２１で加熱された水を吐水口２２２ａから噴射する。
【００３７】
制御部２２３は、操作部からの身体洗浄の指示に応じて加熱部２２１を動作させ、給水源から供給された水を加熱する。そして、制御部２２３は、洗浄ノズル２２２をボウル部５１内に進出させ、加熱後の水を便座１２０に座った使用者の「おしり」などの人体局部に向けて噴射する。これにより、身体洗浄機能部２２０によって、使用者の人体局部が洗浄される。
【００３８】
便器洗浄機能部２３０は、例えば、洗浄水タンク２３１と、給水バルブ２３２と、吐水口２３３と、フロート部２３４と、吸気口２３５と、排水弁２３６と、駆動部２３７と、を有する。
【００３９】
洗浄水タンク２３１は、便器洗浄を行うための水を内部に貯留する。洗浄水タンク２３１は、洗浄水タンク２３１の上方を密閉する蓋部を有し、貯留した水の蒸気が外部に流出することを抑制する。なお、図２では、吐水口２３３、フロート部２３４、排水弁２３６などの図示を容易にするため、便宜的に洗浄水タンク２３１の蓋部を取り外した状態を示している。
【００４０】
給水バルブ２３２は、給水源から供給される洗浄水の洗浄水タンク２３１内への吐水と止水とを切り替える。吐水口２３３は、給水バルブ２３２の下流に設けられる。吐水口２３３は、洗浄水タンク２３１内において開口し、給水バルブ２３２からの洗浄水を洗浄水タンク２３１内に吐水する。フロート部２３４は、洗浄水タンク２３１内に設けられ、洗浄水タンク２３１内の水位に応じて昇降する。
【００４１】
洗浄水タンク２３１内の水位が低下し、フロート部２３４が所定の水位よりも下降すると、給水バルブ２３２が開き、吐水口２３３から洗浄水タンク２３１内への洗浄水の吐水が開始される。そして、洗浄水タンク２３１内の水位が上昇し、フロート部２３４が所定の水位よりも上昇すると、給水バルブ２３２が閉じ、吐水口２３３が止水される。これにより、洗浄水タンク２３１内の洗浄水が、所定量に調整される。
【００４２】
吸気口２３５は、洗浄水タンク２３１内に大気を導入することにより、洗浄水タンク２３１内への洗浄水の給水、及び、洗浄水タンク２３１からの洗浄水の排水を補助する。
【００４３】
洗浄水タンク２３１の低部には、排水口２３１ａが設けられている。排水弁２３６は、排水口２３１ａを塞ぐ。駆動部２３７は、伝達機構２３８を介して駆動力を排水弁２３６に伝達させることにより、排水口２３１ａを閉塞する位置と、排水口２３１ａを開放する位置と、に排水弁２３６を移動させる。
【００４４】
駆動部２３７は、操作部からの便器洗浄の指示に応じて排水弁２３６を所定時間開き、所定時間経過後に排水弁２３６を閉じる。これにより、使用者からの便器洗浄の指示に応じて、一定量の洗浄水が洗浄水タンク２３１から便器５０に供給され、便器５０のボウル部５１が洗浄される。
【００４５】
この例では、洗浄水を洗浄水タンク２３１に溜めるタンク方式の便器洗浄機能部２３０を示している。便器洗浄機能部２３０は、例えば、給水源から供給される洗浄水を便器５０に直接供給する水道直圧方式などでもよい。また、この例では、衛生洗浄装置１００が、便器洗浄機能部２３０を有する。便器洗浄機能部２３０は、必要に応じて衛生洗浄装置１００に設けられ、省略可能である。便器洗浄機能部２３０は、例えば、衛生洗浄装置１００とは別にトイレ装置１０に設けてもよい。
【００４６】
図３（ａ）及び図３（ｂ）は、本発明の実施の形態にかかる衛生洗浄装置を備えたトイレ装置を模式的に表す斜視図である。  
図３（ａ）は、トイレ装置１０を後方側から見た斜視図である。  
図３（ｂ）は、便器５０のみを後方側から見た斜視図である。  
図３（ａ）及び図３（ｂ）に表したように、便器５０は、側面部５２と凹部５３とを有する。側面部５２は、便器５０の上面５０ａと底面５０ｂとの間を接続する部分である。側面部５２は、上面５０ａ及び底面５０ｂの両側方及び前方を囲む。このように、便器５０では、両側方及び前方が、連続した面によって覆われる。便器５０では、両側方及び前方から見た時に、側面部５２のみが露呈する。
【００４７】
凹部５３は、後方を向いて形成されている。このように、便器５０は、後方から前方に向かって一部が抉れた形状を有する。但し、上述のように、両側方及び前方から見た時には、凹部５３は、側面部５２によって覆われ、外部に露呈しない。
【００４８】
便器５０の上面５０ａには、連通孔５５と、複数の取付孔５６と、開口部５８と、が設けられている。連通孔５５は、上面５０ａの上に衛生洗浄装置１００を載置した状態において、洗浄水タンク２３１の排水口２３１ａと対向する位置に設けられている。連通孔５５は、図示を省略した導水路に連通する。導水路は、連通孔５５とボウル部５１との間を接続する管路である。これにより、洗浄水タンク２３１から排出された洗浄水は、排水口２３１ａ、連通孔５５、及び導水路を介してボウル部５１に供給される。
【００４９】
各取付孔５６は、上面５０ａから凹部５３へと至る貫通孔である。各取付孔５６は、衛生洗浄装置１００の取り付けに用いられる。衛生洗浄装置１００は、上面５０ａの上に載置した後、ネジなどの取付具を各取付孔５６に挿通し、ベースプレート２００の底面２００ａと取付具とで便器５０の一部を挟むことにより、便器５０に取り付けられる。衛生洗浄装置１００の便器５０への取り付けは、ベースプレート２００を介して行われる。これにより、衛生洗浄装置１００をベースプレート２００に取り付けた状態において、本体カバー２１０を取り外すことができる。この例では、４つの取付孔５６を示している。取付孔５６の数は、任意でよい。取付孔５６は、１つでもよい。
【００５０】
開口部５８は、凹部５３の一部を上方に露呈させる。凹部５３は、前方及び両側方を側面部５２によって覆われ、開口部５８の部分を除いて上方を上面５０ａに覆われる。開口部５８は、例えば、上面５０ａから凹部５３に連続する貫通孔である。開口部５８は、上面５０ａの後方に寄せて配置される。開口部５８は、例えば、上面５０ａの後端から前方に延びる切り欠きでもよい。
【００５１】
図３（ａ）に表したように、衛生洗浄装置１００には、給水管１１２と、給電線１１４と、が接続されている。給水管１１２の一端は、衛生洗浄装置１００に接続され、給水管１１２の他端は、給水源に接続される。これにより、給水管１１２を介して洗浄水が衛生洗浄装置１００に供給される。給水管１１２は、衛生洗浄装置１００及び給水源に対して着脱可能に接続される。これにより、給水管１１２の交換が容易なり、衛生洗浄装置１００のメンテナンス性が向上する。トイレ装置１０においては、例えば、トイレ空間への設置時に、適切な長さの給水管１１２が選択される。給水管１１２の長さが足りない場合などには、設置作業時に給水管１１２の取り換えが行われる。給水管１１２は、可撓性を有する。給水管１１２には、例えば、ゴムホースやフレキシブルメタルホースなどが用いられる。
【００５２】
給電線１１４の一端は、衛生洗浄装置１００に接続され、給電線１１４の他端は、商用電源などの電力供給源（例えば壁面に設けられたコンセント）に接続される。これにより、給電線１１４を介して衛生洗浄装置１００に電力が供給される。給電線１１４は、電力供給源に対して着脱可能に接続される。給電線１１４は、衛生洗浄装置１００に対して着脱可能でもよいし、衛生洗浄装置１００に固定されていてもよい。
【００５３】
給水管１１２及び給電線１１４は、衛生洗浄装置１００の取り付け時において、開口部５８に挿通され、図３（ａ）に表したように、凹部５３から便器５０の外部に引き出される。
【００５４】
図４は、本発明の実施の形態にかかる衛生洗浄装置を備えたトイレ装置を模式的に表す側面図である。  
図４に表したように、便器５０は、例えば、トイレ空間において後端部５０ｃを壁面ＷＬに近接させて設置される。便器５０は、例えば、後端部５０ｃの一部をトイレ空間の壁面ＷＬに接触させた状態でトイレ空間に設置される。ここで、後端部５０ｃとは、便器５０を側方から見た時の便器５０の外形形状の後端である。換言すれば、後端部５０ｃは、側面部５２の後端である。
【００５５】
底面５０ｂの後端は、上面５０ａの後端よりも前方に位置する。後端部５０ｃは、上面５０ａから底面５０ｂに向かって前方側に傾斜している。これにより、後端部５０ｃの上面５０ａの付近を壁面ＷＬに接触させた場合でも、後端部５０ｃの底面５０ｂの付近と壁面ＷＬとの間には、隙間が生じる。図４に表したように、給水管１１２及び給電線１１４は、凹部５３から引き出されるとともに、後端部５０ｃと壁面ＷＬとの間の隙間から引き出される。
【００５６】
このように、トイレ装置１０においては、給水管１１２と衛生洗浄装置１００との接続部（給水接続部）、及び、給電線１１４と衛生洗浄装置１００との接続部（給電接続部）のそれぞれが、便器５０、ケーシング１１０、及び壁面ＷＬによって隠蔽される。トイレ装置１０では、給水接続部及び給電接続部（以下、まとめて「給水給電部」と称す）が、ケーシング１１０及び便器５０自体によって覆い隠される。これにより、トイレ装置１０では、給水給電部が外部に露出するトイレ装置や、給水給電部をカバーなどで覆い隠すトイレ装置などに比べて、デザイン性を向上させることができる。
【００５７】
図５（ａ）及び図５（ｂ）は、本発明の実施の形態にかかる衛生洗浄装置の一部を模式的に表す平面図である。  
図６は、本発明の実施の形態にかかる衛生洗浄装置の一部を模式的に表す断面図である。  
図６は、図５（ａ）のＡ１−Ａ２線断面を模式的に表す。  
図５（ａ）、図５（ｂ）、及び図６に表したように、衛生洗浄装置１００は、給水接続部２５０と、上側カバー２６０と、下側カバー２７０と、をさらに備える。但し、図５（ｂ）では、便宜的に、上側カバー２６０を取り外した状態を表している。
【００５８】
給水接続部２５０は、円筒部２５１（第１円筒部）と、給水管１１２を着脱可能に接続するための接続口２５２と、を有する。接続口２５２は、例えば、円筒部２５１の一端に設けられた略円形の開口である。給水接続部２５０は、ベースプレート２００の上に設けられる。換言すれば、給水接続部２５０は、ベースプレート２００と本体カバー２１０とで囲まれた空間内に設けられる。給水接続部２５０は、ベースプレート２００と本体カバー２１０とで囲まれた空間内に接続口２５２を配置する。また、給水接続部２５０は、例えば、上下方向と直交する方向に接続口２５２を向ける。この例において、接続口２５２は、後方を向く。接続口２５２の向く方向は、これに限ることなく、任意の方向でよい。
【００５９】
ベースプレート２００は、開口部２０２を有する。開口部２０２は、衛生洗浄装置１００を便器５０に取り付けた状態において、便器５０の開口部５８の上方に位置するように設けられる。すなわち、開口部２０２は、開口部５８を介して凹部５３の一部をベースプレート２００の上方に露呈させる。
【００６０】
このように、ケーシング１１０は、下方を向く開口部２０２を有する。開口部２０２は、給水管１１２及び給電線１１４の挿通に用いられる。給水管１１２及び給電線１１４は、開口部２０２を介してケーシング１１０の内部の空間に侵入する。この例において、開口部２０２は、ベースプレート２００に設けられた貫通孔である。開口部２０２は、これに限ることなく、例えば、ベースプレート２００と本体カバー２１０との間に空く隙間などでもよい。
【００６１】
給水接続部２５０は、開口部２０２に近接してベースプレート２００の上に取り付けられる。また、給水接続部２５０の円筒部２５１は、開口部２０２の上方に延び、接続口２５２を開口部２０２の上方に配置する。
【００６２】
給水接続部２５０は、接続口２５４、２５６をさらに有する。接続口２５４は、身体洗浄機能部２２０との接続に用いられる。接続口２５４は、例えば、配管及び電磁弁などを介して加熱部２２１に接続される。接続口２５６は、便器洗浄機能部２３０との接続に用いられる。接続口２５６は、例えば、配管などを介して給水バルブ２３２に接続される。
【００６３】
この例において、給水接続部２５０は、いわゆる二股分岐管である。衛生洗浄装置１００が便器洗浄機能部２３０を有しない場合には、接続口２５６は、省略可能である。給水接続部２５０は、給水管１１２を接続するための接続口２５２と、身体洗浄機能部２２０に接続するための接続口２５４と、を少なくとも有する管路であればよい。
【００６４】
給水管１１２は、本体部１１２ａと、接続管１１３と、を有する。接続管１１３は、本体部１１２ａの一端に接続されている。換言すれば、接続管１１３は、給水管１１２の一端に設けられている。接続管１１３には、例えば、金属や樹脂など給水管１１２の本体部１１２ａよりも硬質な材料が用いられる。接続管１１３は、略Ｌ字状に屈曲している。給水管１１２は、接続管１１３の一部を給水接続部２５０の接続口２５２に挿し込むことにより、給水接続部２５０に接続される。これにより、給水管１１２及び給水接続部２５０を介して、洗浄水が身体洗浄機能部２２０及び便器洗浄機能部２３０に供給される。
【００６５】
上側カバー２６０は、ベースプレート２００の上に取り付けられ、接続口２５２の上方を覆う。すなわち、上側カバー２６０は、給水接続部２５０と給水管１１２との接続部分を覆う。また、上側カバー２６０は、ベースプレート２００の開口部２０２の少なくとも一部を塞ぐ。この例において、上側カバー２６０は、開口部２０２の略全体を覆う。これにより、上側カバー２６０は、例えば、作業者の手指などが開口部２０２を介してケーシング１１０内に入り込んでしまうことを抑制する。例えば、給電部に触れることによる感電などを抑制する。上側カバー２６０は、例えば、ネジなどの取付部材により、ベースプレート２００に着脱可能に取り付けられる。
【００６６】
下側カバー２７０は、下方からベースプレート２００に取り付けられ、開口部２０２の一部を塞ぐ。給水接続部２５０は、例えば、下側カバー２７０が塞ぐ開口部２０２の一部の上方に接続口２５２を配置する。下側カバー２７０は、ベースプレート２００に着脱可能に取り付けられる。
【００６７】
給水接続部２５０は、下側カバー２７０を取り外した状態において、開口部２０２を介して下方から給水管１１２を接続口２５２に着脱可能にする。さらに、給水接続部２５０は、本体カバー２１０及び上側カバー２６０を取り外した状態において、上方から給水管１１２を接続口２５２に着脱可能にする。
【００６８】
図７（ａ）〜図７（ｃ）は、本発明の実施の形態にかかる衛生洗浄装置の一部を模式的に表す斜視図である。  
図７（ａ）に表したように、給水管１１２の接続管１１３は、給水接続部２５０の接続口２５２に挿入される挿入部１１３ａを有する。挿入部１１３ａの外形形状は、接続口２５２の形状に対応している。挿入部１１３ａは、例えば、円筒状である。挿入部１１３ａの外径は、接続口２５２の内径と実質的に同じである。
【００６９】
挿入部１１３ａの外周面には、溝１１３ｂが設けられている。溝１１３ｂには、シール部材１１３ｃが設けられている。シール部材１１３ｃは、ゴムなどの弾性材料からなり、挿入部１１３ａと給水接続部２５０との間の隙間を埋める。これにより、給水管１１２と給水接続部２５０との接続部分における水漏れが抑制される。なお、この例では、接続管１１３を接続口２５２に挿入する構成としているが、例えば、これとは反対に、接続口２５２を接続管１１３に挿入する構成としてもよい。
【００７０】
給水接続部２５０の円筒部２５１には、フランジ部２５３（第１フランジ部）が設けられている。フランジ部２５３は、円筒部２５１の先端部の外縁に設けられる。フランジ部２５３の外径は、円筒部２５１の外径よりも大きい。このように、フランジ部２５３は、円筒部２５１の先端部において、外径を大きくした部分である。
【００７１】
接続管１１３は、フランジ部１１３ｄ（第２フランジ部）と、円筒部１１３ｅ（第２円筒部）と、をさらに有する。フランジ部１１３ｄは、挿入部１１３ａの後端側に設けられ、挿入部１１３ａを接続口２５２に挿入した状態において、給水接続部２５０のフランジ部２５３に当接する。円筒部１１３ｅは、フランジ部１１３ｄの後端側に設けられる。円筒部１１３ｅの外径は、フランジ部１１３ｄの外径よりも小さい。フランジ部１１３ｄの外径は、フランジ部２５３の外径と実質的に同じである。円筒部１１３ｅの外径は、給水接続部２５０の円筒部２５１の外径と実質的に同じである。
【００７２】
図７（ｂ）に表したように、給水管１１２と給水接続部２５０との接続には、抜け止め部材２８０が用いられる。抜け止め部材２８０は、給水管１１２及び給水接続部２５０を挟む一対の挟持部２８１を有するクリップ状である。抜け止め部材２８０には、金属や樹脂などの弾性を有する材料が用いられる。抜け止め部材２８０は、各挟持部２８１の間隔を弾性変形によって変化させる。この例では、抜け止め部材２８０の全体が弾性を有する。これに限ることなく、抜け止め部材２８０は、少なくとも一部が弾性を有し、各挟持部２８１の間隔が弾性変形によって変化可能であればよい。
【００７３】
各挟持部２８１は、円筒部２５１の外径及び円筒部１１３ｅの外径に応じて湾曲した湾曲部２８１ａを有する。各挟持部２８１は、湾曲部２８１ａの部分において給水管１１２及び給水接続部２５０を挟む。これにより、給水管１１２及び給水接続部２５０をより適切に挟むことができる。また、各挟持部２８１において、給水管１１２及び給水接続部２５０を挟む位置を一義的に決めることができる。
【００７４】
抜け止め部材２８０は、接続部２８２と、一対の開口部２８３と、を有する。接続部２８２は、各挟持部２８１の一端同士を接続する。従って、各挟持部２８１の接続部２８２と反対側の端部が、開口端２８０ａとなる。給水管１１２及び給水接続部２５０は、開口端２８０ａから各挟持部２８１に挿し込まれる。
【００７５】
また、接続部２８２は、各挟持部２８１が湾曲部２８１ａの部分において給水管１１２及び給水接続部２５０を挟んだ状態において、給水管１１２及び給水接続部２５０から離間する。接続部２８２は、給水接続部２５０と接続部２８２との間に隙間を形成し、工具などの挿通を可能にすることにより、抜け止め部材２８０の取り外しを容易にする。
【００７６】
各開口部２８３は、各挟持部２８１の湾曲部２８１ａに設けられる。各開口部２８３の幅は、フランジ部２５３の幅とフランジ部１１３ｄの幅との合計の長さと実質的に同じである。
【００７７】
図７（ｃ）に表したように、接続管１１３の挿入部１１３ａを接続口２５２に挿入した後、給水接続部２５０及び接続管１１３に抜け止め部材２８０を取り付ける。抜け止め部材２８０は、接続口２５２の向く方向に対して直交する方向から給水接続部２５０及び接続管１１３に取り付けられる。抜け止め部材２８０は、例えば、上方向又は下方向から給水接続部２５０及び接続管１１３に取り付けられる。
【００７８】
抜け止め部材２８０は、給水接続部２５０の円筒部２５１及び接続管１１３の円筒部１１３ｅを各挟持部２８１で挟み、各フランジ部２５３、１１３ｄの一部を各開口部２８３内に入り込ませる。これにより、抜け止め部材２８０は、接続管１１３が接続口２５２から抜ける方向において給水接続部２５０及び接続管１１３のそれぞれと係合し、接続管１１３の接続口２５２からの抜けを抑制する。抜け止め部材２８０は、いわゆるクイックファスナーである。
【００７９】
各挟持部２８１の先端部２８１ｂは、湾曲部２８１ａから離間する方向において、開口端２８０ａを広げるように傾斜している。これにより、抜け止め部材２８０を給水接続部２５０及び接続管１１３に取り付け易くすることができる。各先端部２８１ｂは、給水接続部２５０及び接続管１１３を各湾曲部２８１ａに案内する。
【００８０】
抜け止め部材２８０は、各挟持部２８１が各円筒部２５１、１１３ｅを挟んだ状態において、各円筒部２５１、１１３ｅを軸に回動可能である。この際、各挟持部２８１に湾曲部２８１ａを設けることで、抜け止め部材２８０をより容易に回動させることができる。例えば、回動にともなう抜け止め部材２８０の脱落を抑制することができる。
【００８１】
図８は、本発明の実施の形態にかかる衛生洗浄装置の一部を模式的に表す断面図である。  
図８は、図５（ａ）のＢ１−Ｂ２線断面を模式的に表す。  
図８に表したように、上側カバー２６０は、抜け止め部材２８０の取り付けの位置及び方向を規制するガイド部２６２を有する。ガイド部２６２は、例えば、少なくとも抜け止め部材２８０の各先端部２８１ｂを内部に収容する凹状である。ここで、接続口２５２の向く方向を第１方向Ｄ１とする。第１方向Ｄ１は、換言すれば、円筒部２５１の延びる方向である。この例において、第１方向Ｄ１は、前後方向である。第１方向Ｄ１に対して直交する抜け止め部材２８０の挿抜方向を第２方向Ｄ２とする。この例において、第２方向Ｄ２は、上下方向である。第１方向Ｄ１及び第２方向Ｄ３に対して直交する方向を第３方向Ｄ３とする。この例において、第３方向Ｄ３は、左右方向である。
【００８２】
ガイド部２６２の内部の第３方向Ｄ３の幅ＷＣ１は、抜け止め部材２８０の各挟持部２８１が各円筒部２５１、１１３ｅを挟んだ時の抜け止め部材２８０の第３方向Ｄ３の最大の幅ＷＦ１よりも大きい。
【００８３】
一方、ガイド部２６２の第３方向Ｄ３の幅ＷＣ１は、抜け止め部材２８０の各挟持部２８１が各フランジ部２５３、１１３ｄを挟んだ時の抜け止め部材２８０の第３方向Ｄ３の最大の幅ＷＦ２よりも小さい。
【００８４】
これにより、抜け止め部材２８０の各挟持部２８１が適切に各円筒部２５１、１１３ｅを挟む状態の時には、抜け止め部材２８０の給水接続部２５０及び接続管１１３への取り付けが許容される。これに対して、各挟持部２８１が各フランジ部２５３、１１３ｄを挟む状態の時には、抜け止め部材２８０の先端部２８１ｂがガイド部２６２の内面に当接し、抜け止め部材２８０の給水接続部２５０及び接続管１１３への取り付けが阻害される。
【００８５】
このように、ガイド部２６２は、各挟持部２８１が各円筒部２５１、１１３ｅを挟む第１状態においては、抜け止め部材２８０の給水接続部２５０及び給水管１１２への取り付けを許容し、各挟持部２８１が各フランジ部２５３、１１３ｄを挟み、第１状態よりも各挟持部２８１の間隔が広がった第２状態においては、抜け止め部材２８０と当接して抜け止め部材２８０の給水接続部２５０及び給水管１１２への取り付けを阻害する。これにより、抜け止め部材２８０の誤った取り付けを抑制することができる。
【００８６】
図９は、本発明の実施の形態にかかる衛生洗浄装置の一部を模式的に表す断面図である。  
図９に表したように、ガイド部２６２の内部の第１方向Ｄ１の幅ＷＣ２は、抜け止め部材２８０の第１方向Ｄ１の幅ＷＦ３と同程度に設定される。幅ＷＣ２は、例えば、幅ＷＦ３の１倍以上１．５倍以下である。より好ましくは、幅ＷＣ２は、例えば、幅ＷＦ３の１倍以上１．３倍以下である。これにより、抜け止め部材２８０が給水接続部２５０及び接続管１１３に対して斜めに取り付けられてしまうことを抑制することができる。抜け止め部材２８０の誤った取り付けをより抑制することができる。
【００８７】
このように、上側カバー２６０は、抜け止め部材２８０の取り付けの位置及び方向をガイド部２６２によって規制することにより、給水接続部２５０及び接続管１１３に対する抜け止め部材２８０の誤った取り付けを抑制する。これにより、抜け止め部材２８０の誤った取り付けにともなう水漏れの発生などを抑えることができる。
【００８８】
図１０（ａ）及び１０（ｂ）は、本発明の実施の形態にかかる衛生洗浄装置の一部を模式的に表す断面図である。  
図１０（ａ）及び１０（ｂ）に表したように、下側カバー２７０は、左右両側に設けられた一対の係合部２７１を有する。ベースプレート２００には、下側カバー２７０の各係合部２７１と係合する一対の被係合部２０４が設けられている。下側カバー２７０は、各係合部２７１を各被係合部２０４に係合させることにより、下方からベースプレート２００に着脱可能に取り付けられる。下側カバー２７０は、例えば、ネジ止めなどによってベースプレート２００に取り付けてもよい。下側カバー２７０の取り付け方法は、任意でよい。
【００８９】
下側カバー２７０は、ベースプレート２００に取り付けられた状態において抜け止め部材２８０と対向する対向面２７２を有する。下側カバー２７０は、図１０（ａ）に表したように、開口端２８０ａを上方に向けた状態で、各挟持部２８１が適切な位置よりも下方で給水接続部２５０及び給水管１１２を挟んでいる時に、対向面２７２を抜け止め部材２８０に当接させ、図１０（ｂ）に表したように、抜け止め部材２８０を適切な位置に向けて移動させる。これにより、下側カバー２７０の取り付けによって、抜け止め部材２８０の半挿入状態を解消し、抜け止め部材２８０を給水接続部２５０及び給水管１１２に適切に取り付けることができる。
【００９０】
また、ベースプレート２００及び下側カバー２７０は、抜け止め部材２８０の各円筒部２５１、１１３ｅを軸とする回動を許容する。これにより、上側カバー２６０を取り外した状態においては、抜け止め部材２８０を回動させることにより、抜け止め部材２８０を取り外す方向を変化させることができる。
【００９１】
上側カバー２６０は、ベースプレート２００に取り付けられた際に、第２方向Ｄ２において抜け止め部材２８０と対向する対向面２６２ａを有する。上側カバー２６０は、開口端２８０ａを下方に向けた状態で、各挟持部２８１が適切な位置よりも上方で給水接続部２５０及び給水管１１２を挟んでいる時に、対向面２６２ａを抜け止め部材２８０に当接させ、抜け止め部材２８０を適切な位置に向けて移動させる。これにより、抜け止め部材２８０を上方から取り付けた場合には、上側カバー２６０の取り付けによって、抜け止め部材２８０の半挿入状態を解消することができる。
【００９２】
図１１は、本発明の実施の形態にかかるトイレ装置の取り付け手順の一例を模式的に表すフローチャートである。  
トイレ装置１０をトイレ空間に取り付ける場合には、まず、便器５０をトイレ空間の所定の位置に仮置きし、便器５０の上面５０ａの上に衛生洗浄装置１００を載置する（図１１のステップＳ１０１）。
【００９３】
トイレ装置１０においては、例えば、所定の長さの給水管１１２が衛生洗浄装置１００に接続された状態で、製造業者から出荷される。この場合、作業者は、衛生洗浄装置１００を便器５０の上に載置した後、給水管１１２の長さが適切か否かを判断する（図１１のステップＳ１０２）。
【００９４】
作業者は、給水管１１２の長さが適切ではないと判断した場合、まず、ケーシング１１０のベースプレート２００に設けられた開口部２０２を介して、下方から下側カバー２７０を取り外す（図１１のステップＳ１０３）。
【００９５】
トイレ装置１０は、抜け止め部材２８０の開口端２８０ａを上方に向けた状態で出荷される。従って、下側カバー２７０を取り外すと、抜け止め部材２８０の接続部２８２が下方に露出する。作業者は、給水接続部２５０と接続部２８２との間に空く隙間に工具などを挿し込み、抜け止め部材２８０を下方に引き抜くことにより、給水接続部２５０及び給水管１１２から抜け止め部材２８０を取り外す（図１１のステップＳ１０４）。
【００９６】
抜け止め部材２８０を取り外した後、接続管１１３の挿入部１１３ａを給水接続部２５０の接続口２５２から引き抜くことにより、接続されていた給水管１１２を取り外す。そして、新たな給水管１１２を開口部２０２に通し、挿入部１１３ａを接続口２５２に挿入することにより、適切な長さの給水管１１２に交換する（図１１のステップＳ１０５）。
【００９７】
このように、衛生洗浄装置１００では、便器５０に取り付けられる前の状態においては、下方から給水管１１２の着脱を行うことができる。また、給水管１１２の一端には、略Ｌ字状に屈曲した接続管１１３が設けられ、接続管１１３に挿入部１１３ａが設けられている。これにより、下方から給水管１１２の着脱を行う際に、上下方向と直交する方向を向く接続口２５２に対して、挿入部１１３ａを抜き差しし易くすることができる。
【００９８】
新たな給水管１１２を接続口２５２に接続した後、給水接続部２５０及び給水管１１２に対して下方から抜け止め部材２８０を挿し込むことにより、給水接続部２５０及び給水管１１２に抜け止め部材２８０を取り付ける（図１１のステップＳ１０６）。
【００９９】
この際、上側カバー２６０のガイド部２６２によって、抜け止め部材２８０の取り付けの位置及び方向が規制される。これにより、抜け止め部材２８０の誤った取り付けを抑制することができる。例えば、不慣れな作業者であったとしても、抜け止め部材２８０を給水接続部２５０及び給水管１１２に適切に取り付けることができる。
【０１００】
抜け止め部材２８０を取り付けた後、下側カバー２７０の各係合部２７１をベースプレート２００の各被係合部２０４に係合させることにより、ベースプレート２００に下側カバー２７０を取り付ける（図１１のステップＳ１０７）。
【０１０１】
この際、抜け止め部材２８０の各挟持部２８１が適切な位置よりも下方で給水接続部２５０及び給水管１１２を挟んでいる場合には、下側カバー２７０の対向面２７２が抜け止め部材２８０に当接し、抜け止め部材２８０を適切な位置に向けて移動させる。これにより、抜け止め部材２８０の半挿入状態を解消することができる。例えば、不慣れな作業者であったとしても、抜け止め部材２８０を給水接続部２５０及び給水管１１２に適切に取り付けることができる。
【０１０２】
給水管１１２の交換を行い、抜け止め部材２８０及び下側カバー２７０を取り付けた後、給水管１１２及び給電線１１４を便器５０の開口部５８に挿通し、給水管１１２及び給電線１１４を便器５０の凹部５３から引き出す。この後、便器５０の各取付孔５６を介して衛生洗浄装置１００を便器５０に取り付ける。そして、便器５０をトイレ空間の床面などに取り付けることにより、便器５０を固定する（図１１のステップＳ１０８）。
【０１０３】
ステップＳ１０２において、給水管１１２の長さが適切であると判断された場合には、ステップＳ１０８に移行し、衛生洗浄装置１００の取り付け、及び、便器５０の取り付けが行われる。なお、便器５０に対する衛生洗浄装置１００の取り付けは、例えば、便器５０の床面などへの取り付けの後に行ってもよい。
【０１０４】
衛生洗浄装置１００及び便器５０の取り付けを行った後、便器５０の後端部５０ｃと壁面ＷＬとの間の隙間から給水管１１２及び給電線１１４を引き出す。そして、給水管１１２を給水源に接続し、給電線１１４を電力供給源に接続する（図１１のステップＳ１０９）。以上により、トイレ装置１０の取り付けが完了する。
【０１０５】
トイレ装置１０では、給水給電部が、ケーシング１１０によって隠蔽される。また、ケーシング１１０から給水管１１２及び給電線１１４を引き出すための開口部２０２が、便器５０によって隠蔽される。さらに、便器５０においては、凹部５３が側面部５２によって覆われ、両側方及び前方に露呈しない。これにより、トイレ装置１０では、高いデザイン性を得ることができる。例えば、給水管１１２及び給電線１１４を目立たなくすることができる。
【０１０６】
上記の例では、所定の長さの給水管１１２が、衛生洗浄装置１００に接続された状態で、製造業者から出荷される場合を示している。給水管１１２は、衛生洗浄装置１００から取り外した状態で出荷してもよい。この場合には、トイレ装置１０の取り付け作業時に、下側カバー２７０を取り外して適切な長さの給水管１１２を接続し、以下、上記のステップＳ１０６以降と同様の手順を行えばよい。
【０１０７】
図１２は、本発明の実施の形態にかかるトイレ装置のメンテナンス作業の一例を模式的に表すフローチャートである。  
図１２は、衛生洗浄装置１００が便器５０に取り付けられた状態において、給水接続部２５０を交換する場合の作業の一例を模式的に表す。トイレ装置１０においては、例えば、凍結などによって給水接続部２５０が破損してしまう場合がある。このような場合には、まず、本体カバー２１０をベースプレート２００から取り外す（図１２のステップＳ２０１）。
【０１０８】
本体カバー２１０を取り外した後、上側カバー２６０をベースプレート２００から取り外す（図１２のステップＳ２０２）。これにより、図５（ｂ）などに表したように、給水接続部２５０が上方に露呈され、給水接続部２５０と給水管１１２との着脱が可能な状態になる。
【０１０９】
抜け止め部材２８０は、上述のように、出荷時やトイレ空間への取り付け作業時においては、下方から取り付けられ、開口端２８０ａを上方に向けた状態で給水接続部２５０及び給水管１１２に取り付けられる。従って、上側カバー２６０を取り外した場合には、抜け止め部材２８０の開口端２８０ａが上方に露呈される場合がある。この場合には、各円筒部２５１、１１３ｅを軸に抜け止め部材２８０を回動させ、抜け止め部材２８０の接続部２８２側を上方に露呈させる。この後、抜け止め部材２８０を上方に引き抜くことにより、給水接続部２５０及び給水管１１２から抜け止め部材２８０を取り外す（図１２のステップＳ２０３）。
【０１１０】
抜け止め部材２８０を取り外した後、接続管１１３の挿入部１１３ａを給水接続部２５０の接続口２５２から引き抜くことにより、給水管１１２を取り外す（図１２のステップＳ２０４）。従って、トイレ装置１０及び衛生洗浄装置１００においては、例えば、開口部５８、２０２、及び凹部５３を介して給水管１１２を引き抜き、別の給水管１１２を挿通することにより、給水管１１２の交換を行うこともできる。
【０１１１】
給水管１１２を取り外した後、給水接続部２５０の接続口２５４と身体洗浄機能部２２０との接続を解除するとともに、給水接続部２５０の接続口２５６と便器洗浄機能部２３０との接続を解除する。この後、給水接続部２５０を取り外し、新たな給水接続部２５０に交換する（図１２のステップＳ２０５）。
【０１１２】
給水接続部２５０を交換した後、給水管１１２の挿入部１１３ａを接続口２５２に挿入し、給水管１１２を給水接続部２５０に接続する（図１２のステップＳ２０６）。
【０１１３】
給水管１１２を接続口２５２に接続した後、給水接続部２５０及び給水管１１２に対して上方から抜け止め部材２８０を挿し込むことにより、給水接続部２５０及び給水管１１２に抜け止め部材２８０を取り付ける（図１２のステップＳ２０７）。
【０１１４】
抜け止め部材２８０を取り付けた後、給水接続部２５０や抜け止め部材２８０などの上に上側カバー２６０を取り付ける（図１２のステップＳ２０８）。この際、抜け止め部材２８０の各挟持部２８１が適切な位置よりも上方で給水接続部２５０及び給水管１１２を挟んでいる場合には、上側カバー２６０の対向面２６２ａが抜け止め部材２８０に当接し、抜け止め部材２８０を適切な位置に向けて移動させる。これにより、抜け止め部材２８０の半挿入状態を解消することができる。例えば、不慣れな作業者であったとしても、抜け止め部材２８０を給水接続部２５０及び給水管１１２に適切に取り付けることができる。
【０１１５】
上側カバー２６０を取り付けた後、ベースプレート２００の上に本体カバー２１０を取り付ける（図１２のステップＳ２０９）。以上により、給水接続部２５０の交換の作業が完了する。
【０１１６】
例えば、給水接続部２５０がケーシング１１０の底面１１０ａに設けられている場合（接続口２５２がベースプレート２００よりも下方に位置する場合）に、ケーシング１１０及び便器５０で給水接続部２５０を隠蔽してしまうと、衛生洗浄装置１００を便器５０に取り付けた後においては、衛生洗浄装置１００を一度便器５０から取り外さない限り、給水接続部２５０から給水管１１２を取り外すことができなくなってしまう。すなわち、給水管１１２や給水接続部２５０の交換が難しくなってしまう。
【０１１７】
特に、上記の便器５０のように、上面５０ａ及び底面５０ｂの両側方及び前方が側面部５２で囲まれ、かつ便器５０の後端部５０ｃがトイレ空間の壁面ＷＬに近接して配置される場合には、便器５０自体を床面などから取り外して前方にずらさない限り、衛生洗浄装置１００を便器５０から取り外すことができない。このため、作業が大掛かりになってしまう。
【０１１８】
これに対して、本実施形態に係るトイレ装置１０及び衛生洗浄装置１００では、給水接続部２５０及び接続口２５２をケーシング１１０内に配置し、開口部２０２を介して下方から給水管１１２を接続口２５２に着脱できるようにするとともに、本体カバー２１０を取り外した状態において、上方から給水管１１２を接続口２５２に着脱できるようにしている。
【０１１９】
これにより、トイレ装置１０及び衛生洗浄装置１００では、給水給電部を隠蔽した場合においても、便器５０や衛生洗浄装置１００自体を取り外す必要がなく、本体カバー２１０を取り外すだけで、給水管１１２や給水接続部２５０の交換などを行うことができる。従って、トイレ装置１０及び衛生洗浄装置１００では、給水給電部を隠蔽した場合のメンテナンス性の低下を抑制することができる。
【０１２０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置１０及び衛生洗浄装置１００などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１２１】
１０ トイレ装置、  ５０ 便器、  ５０ａ 上面、  ５０ｂ 底面、  ５０ｃ 後端部、  ５１ ボウル部、  ５２ 側面部、  ５３ 凹部、  ５５ 連通孔、  ５６ 取付孔、  ５８ 開口部、  １００ 衛生洗浄装置、  １１０ ケーシング、  １１２ 給水管、  １１２ａ 本体部、  １１３ 接続管、  １１３ａ 挿入部、  １１３ｂ 溝、  １１３ｃ シール部材、  １１３ｄ フランジ部（第２フランジ部）、  １１３ｅ 円筒部（第２円筒部）、  １１４ 給電線、  １２０ 便座、  １３０ 便蓋、  ２００ ベースプレート、  ２０２ 開口部、  ２１０ 本体カバー、  ２２０ 身体洗浄機能部、  ２２１ 加熱部、  ２２２ 洗浄ノズル、  ２２２ａ 吐水口、  ２２３ 制御部、  ２３０ 便器洗浄機能部、  ２３１ 洗浄水タンク、  ２３１ａ 排水口、  ２３２ 給水バルブ、  ２３３ 吐水口、  ２３４ フロート部、  ２３５ 吸気口、  ２３６ 排水弁、  ２３７ 駆動部、  ２５０ 給水接続部、  ２５１ 円筒部（第１円筒部）、  ２５２ 接続口、  ２５３ フランジ部（第１フランジ部）、  ２５４、２５６ 接続口、  ２６０ 上側カバー、  ２６２ ガイド部、  ２６２ａ 対向面、  ２７０ 下側カバー、  ２７２ 対向面、  ２８０ 抜け止め部材、  ２８１ 挟持部、  ２８１ａ 湾曲部、  ２８１ｂ 先端部、  ２８２ 接続部、  ２８３ 開口部
【図１】
0006617910.tif 000002
【図２】
0006617910.tif 000003
【図３】
0006617910.tif 000004
【図４】
0006617910.tif 000005
【図５】
0006617910.tif 000006
【図６】
0006617910.tif 000007
【図７】
0006617910.tif 000008
【図８】
0006617910.tif 000009
【図９】
0006617910.tif 000010
【図１０】
0006617910.tif 000011
【図１１】
0006617910.tif 000012
【図１２】
0006617910.tif 000013